(57)【要約】【課題】認証リストに登録された操作者がネットワークを介して閲覧することができるカメラの映像データの送信先を限定して送信する通信装置を提供する。【解決手段】カメラ２０の映像データの閲覧を許可する認証情報が登録された認証リストが格納される記憶手段２１と、端末装置からの映像データの送信要求が受信されたときに、映像データの送信要求に応答して第１の認証情報の送信を要求する認証要求手段２２と、端末装置からの第１の認証情報が認証リストに登録されていれば、映像データを送信する映像データ送信手段２３とを備え、認証要求手段２２は、第１の認証情報を送信して認証リストでの認証が得られた第１の端末装置からの映像データの限定送信要求に応答して第２の認証情報の送信を要求し、映像データ送信手段２３は、第１の端末装置からの第２の認証情報を受信すると、第１の端末装置へのみ映像データを送信する。【選択図】図２
2006148737.tif 000002
【特許請求の範囲】
【請求項１】
カメラの映像データの閲覧を許可する認証情報が登録された認証リストが格納される記憶手段と、
ネットワークを介して端末装置からの前記映像データの送信要求が受信されたときに、前記映像データの送信要求に応答して第１の認証情報の送信を要求する認証要求手段と、
前記端末装置からの前記第１の認証情報が前記認証リストに登録されていれば、前記映像データを送信する映像データ送信手段とを備えた通信装置において、
前記認証要求手段は、前記第１の認証情報を送信して前記認証リストでの認証が得られた第１の端末装置からの前記映像データの限定送信要求に応答して第２の認証情報の送信を要求する機能を備え、
前記映像データ送信手段は、前記第１の端末装置からの前記第２の認証情報を受信すると、前記第１の端末装置へのみ前記映像データを送信する機能を備えたことを特徴とする通信装置。
【請求項２】
前記限定送信要求を送信した前記第１の端末装置からの第２の認証情報を受信すると、前記第１の端末装置が選択した第２の端末装置へ、第３の認証情報を電子メールとして前記ネットワークを介して送信する認証メール送信手段を備え、
前記映像データ送信手段は、前記第２の端末装置からの限定送信要求に応答して第３の認証情報の送信を要求し、前記第２の端末装置からの第３の認証情報を受信すると、前記第１の端末装置へ送信する同じ映像データを前記第２の端末装置へ送信することを特徴とする請求項１記載の通信装置。
【請求項３】
前記カメラのレンズの方向を変更する変更要求が前記第１の端末装置からであったときのみ、前記変更要求に応じて前記カメラを制御するカメラ制御手段を備えたことを特徴とする請求項１または２記載の通信装置。
【請求項４】
前記請求項１から３のいずれかの項に記載の通信装置にカメラを備えたネットワークカメラ。
【発明の詳細な説明】
【技術分野】
【０００１】
本発明は、カメラの映像データを認証リストに登録された操作者のみがネットワークを介して閲覧することができる通信装置およびネットワークカメラに関する。
【背景技術】
【０００２】
遠隔地の映像をインターネットなどのネットワークを介して端末装置上で動作するブラウザなどの閲覧ソフトで見ることができるライブカメラと呼ばれるものがある。例えば、富士山を撮像する定点カメラからの映像データをインターネットへ送信することで、遠く離れている自宅からでも端末装置で富士山を眺めることができる。このライブカメラには通信装置の一つであるネットワークカメラが用いられる。
【０００３】
しかし、インターネットへ映像データが送信されるカメラが自宅に設置されている場合では、不特定多数の端末装置からアクセスされてはプライベートな部分まで見られることになるので問題がある。そこで、端末装置からブラウザでカメラの映像データを閲覧するときに認証を要求する従来の通信装置がある（例えば、特許文献１参照。）。
【０００４】
カメラの映像データを閲覧するときに、閲覧を要求した端末装置に認証を要求することで限られた端末装置の操作者にしか見ることができなので、カメラの前でも安心していることができる。
【特許文献１】特開２００２−１１２２４８号公報
【発明の開示】
【発明が解決しようとする課題】
【０００５】
しかし、従来の通信装置では、認証された操作者はいつでもカメラの映像データを閲覧することができてしまうため、更に限定された操作者のみとすることができない。一旦、認証のための認証情報が格納されている認証リストから限定された操作者以外のものを抹消して特定の操作者のみとし、再度、抹消した操作者を認証リストへ登録し直すことも考えられるが、これでは認証リストを別に保存しておく必要がある。また、抹消された状態の操作者が従来の通信装置へアクセスすると、認証が得られないことになって不審に思うことも想定される。
【０００６】
これでは、通常は登録してさえいれば映像データを閲覧できる状態にしているカメラを、一時的に更に限定された操作者のみ閲覧可能とすることができないので、例えば自宅内にネットワークカメラを設置し、インターネットへ映像データを送信している状態で、同じく自宅内に設置している端末装置からその映像データを閲覧しながらメンテナンスをしているときに、遠隔地から他の端末装置でこのメンテナンスの状態を閲覧されては問題となる。
【０００７】
そこで本発明は、認証リストに登録された操作者の登録を抹消することなく、カメラの映像データの送信先を、更に限定して送信することができる通信装置およびネットワークカメラを提供することを目的とする。
【課題を解決するための手段】
【０００８】
本発明の通信装置は、カメラの映像データの閲覧を許可する認証情報が登録された認証リストが格納される記憶手段と、ネットワークを介して端末装置からの前記映像データの送信要求が受信されたときに、前記映像データの送信要求に応答して第１の認証情報の送信を要求する認証要求手段と、前記端末装置からの前記第１の認証情報が前記認証リストに登録されていれば、前記映像データを送信する映像データ送信手段とを備えた通信装置において、前記認証要求手段は、前記第１の認証情報を送信して前記認証リストでの認証が得られた第１の端末装置からの前記映像データの限定送信要求に応答して第２の認証情報の送信を要求する機能を備え、前記映像データ送信手段は、前記第１の端末装置からの前記第２の認証情報を受信すると、前記第１の端末装置へのみ前記映像データを送信する機能を備えたことを特徴とする。
【発明の効果】
【０００９】
本発明によれば、第１の認証情報で認証を得たのちに第２の認証情報で認証を得ることで、第２の認証情報で認証を得た第１の端末装置のみに映像データを送信するので、認証リストに登録された操作者の登録を抹消することなく、カメラの映像データの送信先を、更に限定して送信することが可能である。
【発明を実施するための最良の形態】
【００１０】
本願の第１の発明は、カメラの映像データの閲覧を許可する認証情報が登録された認証リストが格納される記憶手段と、ネットワークを介して端末装置からの映像データの送信要求が受信されたときに、映像データの送信要求に応答して第１の認証情報の送信を要求する認証要求手段と、端末装置からの第１の認証情報が認証リストに登録されていれば、映像データを送信する映像データ送信手段とを備えた通信装置において、認証要求手段は、第１の認証情報を送信して認証リストでの認証が得られた第１の端末装置からの映像データの限定送信要求に応答して第２の認証情報の送信を要求する機能を備え、映像データ送信手段は、第１の端末装置からの第２の認証情報を受信すると、第１の端末装置へのみ映像データを送信する機能を備えたことを特徴したものである。
【００１１】
通信装置へアクセスする端末装置から送信される第１の認証情報が、認証リストに登録された認証情報に登録されていれば、カメラの映像データの閲覧が許可されるので、通信装置へアクセスする端末装置を操作する操作者を限定することができる。更に、映像データを限定して送信する要求である限定送信要求をしたときに第２の認証情報によって認証することで、第２の認証情報で認証が得られた端末装置からでしか映像データの閲覧ができないので、閲覧リストはそのままに一時的に限定した操作者のみの閲覧とすることができる。
【００１２】
本願の第２の発明は、限定送信要求を送信した第１の端末装置からの第２の認証情報を受信すると、第１の端末装置が選択した第２の端末装置へ、第３の認証情報を電子メールとしてネットワークを介して送信する認証メール送信手段を備え、映像データ送信手段は、第２の端末装置からの限定送信要求に応答して第３の認証情報の送信を要求し、第２の端末装置からの第３の認証情報を受信すると、第１の端末装置へ送信する同じ映像データを第２の端末装置へ送信することを特徴としたものである。
【００１３】
この通信装置をテレビ電話として使用するときに、相手先を選択して電子メールで第３の認証情報を送信するので、容易に通信装置へアクセスの認証に必要な第３の認証情報を相手に連絡することができる。
【００１４】
本願の第３の発明は、カメラのレンズの方向を変更する変更要求が第１の端末装置からであったときのみ、変更要求に応じてカメラを制御するカメラ制御手段を備えたことを特徴としたものである。
【００１５】
第１の端末装置からのカメラのレンズの方向を変更する変更要求のみ、通信装置がレンズの方向を制御することで、第３の認証情報で認証が得られた第２の端末装置からカメラのレンズの方向を制御できないため、第２の端末装置から見せたくない方向へレンズの向きを操作されることが防止できる。
【００１６】
本願の第４の発明は、第１の発明から第３の発明のいずれかの通信装置にカメラを備えたネットワークカメラとしたものである。
【００１７】
通信装置にカメラを備えることで、カメラを別途準備する必要がないので、容易にライブカメラとしたり、テレビ電話のカメラとすることが可能である。
【００１８】
（実施の形態）
本発明の実施の形態に係る通信装置を、ネットワークカメラを例に図１および図２に基づいて説明する。図１は、本発明の実施の形態に係る通信装置を用いたネットワークカメラシステムの構成を説明する図である。図２は、本発明の実施の形態に係る通信装置の構成を説明する図である。
【００１９】
まず、本発明の実施の形態に係る通信装置を用いたネットワークカメラシステムの構成を図１に基づいて説明する。
【００２０】
図１に示すように、ネットワークカメラシステム１は、ネットワークの一つであるインターネット２を介して例えば３箇所から通信可能に接続されている。
【００２１】
Ａ地点では、操作者Ｍ１が、ネットワークカメラ１０と、端末装置１１とを操作している。ネットワークカメラ１０ａと端末装置１１ａとはＬＡＮ（Ｌｏｃａｌ  Ａｒｅａ  Ｎｅｔｗｏｒｋ）で接続されたルータ１２を介してインターネット２に接続されている。
【００２２】
Ｂ地点では、操作者Ｍ２が、ネットワークカメラ１０ｂと、端末装置１１ｂとを操作している。ネットワークカメラ１０ｂと端末装置１１ｂとはＬＡＮで接続されたルータ１３を介してインターネット２に接続されている。
【００２３】
Ｃ地点では、操作者Ｍ３が、端末装置１１ｃを操作している。端末装置１１ｃはＬＡＮで接続されたルータ１４を介してインターネット２に接続されている。
【００２４】
ネットワークカメラ１０ａ，１０ｂを、本明細書中では便宜上、ネットワークカメラ１０と称する場合がある。また端末装置１１ａ，１１ｂ，１１ｃは、閲覧ソフトであるブラウザが動作する環境のものであり、本明細書中では端末装置１１ａ，１１ｂ，１１ｃを便宜上、端末装置１１と称する場合がある。
【００２５】
端末装置１１がネットワークカメラ１０へアクセスするときは、ネットワークカメラ１０に割り当てられたＵＲＬ（Ｕｎｉｆｏｒｍ  Ｒｅｓｏｕｒｃｅ  Ｌｏｃａｔｏｒ）をブラウザで指定して行う。
【００２６】
次に、本発明の実施の形態に係る通信装置であるネットワークカメラ１０を図２に基づいて説明する。
【００２７】
ネットワークカメラ１０は、カメラ２０と、記憶手段２１と、認証要求手段２２と、映像データ送信手段２３と、カメラ制御手段２４と、認証メール送信手段２５と、ネットワーク通信手段２６とを備えている。
【００２８】
カメラ２０は、撮像したデータを映像データとして映像データ送信手段２３へ出力する。またカメラ２０は、チルトやパーンなどのレンズの方向を変える機能を有している。
【００２９】
記憶手段２１は、カメラ２０の映像データの閲覧を許可する認証情報が登録された認証リストが格納されている。端末装置１１にてブラウザで映像データを閲覧するためには、認証情報であるＩＤとパスワードを認証リストに登録しておく必要がある。
【００３０】
認証要求手段２２は、端末装置１１からの映像データの送信要求がネットワークを介して受信されたときに、映像データの送信要求に応答して第１の認証情報であるＩＤと公開パスワードとの送信を要求する機能を備えている。また、認証要求手段２２は、ＩＤと公開パスワードを送信して認証リストでの認証が得られた端末装置１１からの映像データの限定送信要求に応答して第２の認証情報であるＩＤと限定パスワードとの送信を要求する機能を備えている。
【００３１】
映像データ送信手段２３は、端末装置１１から送信された第１の認証情報であるＩＤと公開パスワードとが認証リストに登録されていれば認証して、カメラ２０から入力した映像データをその端末装置１１へ送信する機能を備えている。また映像データ送信手段２３は、第１の認証情報での認証が得られた端末装置１１からの第２の認証情報であるＩＤと限定パスワードとを受信した場合、または第３の認証情報であるＩＤと相手限定パスワードとを受信した場合に、ＩＤと限定パスワードおよびＩＤと相手限定パスワードを送信した端末装置１１のみ認証して、映像データを送信する機能を備えている。
【００３２】
カメラ制御手段２４は、最初に限定送信要求を送信して認証を得られた端末装置１１からカメラのレンズの方向を変更する要求通知があれば、その要求通知に応じてカメラ２０を制御する機能を備えている。
【００３３】
認証メール送信手段２５は、最初に限定送信要求を送信した端末装置１１のいずれかからのＩＤと限定パスワードを受信すると、この端末装置１１が選択した他の端末装置１１へ、ＩＤと相手限定パスワードを第３の認証情報として電子メールとして送信する機能を備えている。
【００３４】
ネットワーク通信手段２６は、ネットワークであるＬＡＮに接続され、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）のｈｔｔｐ（ＨｙｐｅｒＴｅｘｔ  Ｔｒａｎｓｆｅｒ  Ｐｒｏｔｏｃｏｌ）で通信する。端末装置１１からは、端末装置１１上で動作するブラウザからアクセスされるので、その応答として映像データや認証を要求する画面などをブラウザに表示可能なデータとしてネットワーク通信手段２６が生成して送信する。
【００３５】
以上のように構成される本発明の実施の形態に係る通信装置の動作を図３から図１３に基づいて説明する。図３から図５は、本発明の実施の形態に係る通信装置の一例であるネットワークカメラの動作を説明するシーケンスチャートである。図６から図１３は、通信装置としての一例であるネットワークカメラから送信され、端末装置の画面に表示される表示例である。
【００３６】
まずＡ地点のあるネットワークカメラ１０ａに、Ｂ地点にいる操作者Ｍ２が端末装置１１ｂを操作して映像データを閲覧する場合のネットワークカメラ１１ａの動作を図３に基づいて説明する。操作者Ｍ２は予めネットワークカメラ１０ａの記憶手段２１に格納される認証リストにＩＤと公開パスワードが登録されているものとする。
【００３７】
図３に示すように、端末装置１１ｂを操作する操作者Ｍ２は、端末装置１１ｂ上で動作するブラウザで、ネットワークカメラ１０ａに割り当てられたＵＲＬを指定してネットワークカメラ１０ａへアクセスする。ネットワークカメラ１０ａのネットワーク通信手段２６は、エントリの画面となるデータをｈｔｔｐで端末装置１１ｂへ送信する。このときの端末装置１１ｂのブラウザの表示画面例を図６に示す。操作者Ｍ２は、端末装置１１ｂのブラウザの「公開モード選択」ボタンをマウスなどのポインティングデバイスで押下する。この「公開モード選択」ボタンの押下により、カメラ２０の映像データの送信を要求する送信要求が端末装置１１ｂからネットワークカメラ１０ａへ送信される（Ｓ１００）。
【００３８】
この映像データの送信要求を、ネットワーク通信手段２６を介して受信した認証要求手段２２は、この送信要求に応答して第１の認証情報であるＩＤと公開パスワードとを端末装置１１ｂへ要求する（Ｓ１１０）。このときの端末装置１１ｂのブラウザの表示画面例を図７に示す（Ｓ１２０）。
【００３９】
操作者Ｍ２は、「ユーザ名」にＩＤを入力し、「パスワード」に公開パスワードを入力して、「ＯＫ」ボタンを押下する。この操作により、端末装置１１ｂは、ネットワークカメラ１０ａへＩＤと公開パスワードを送信する（Ｓ１３０）。
【００４０】
ＩＤと公開パスワードを受信した映像データ送信手段２３は、このＩＤと公開パスワードが記憶手段２１に格納された認証リストに登録されているか否かを判定する（Ｓ１４０）。
【００４１】
Ｓ１４０にて、認証リストに登録されていると判定されれば、カメラ２０の映像データをネットワーク通信手段２６を介して送信する（Ｓ１５０）。認証リストに登録されていなければ、その旨のメッセージを端末装置１１ｂへ送信する。
【００４２】
映像データを受信した端末装置１１ｂは、ブラウザに受信した映像データを表示する。このときの端末装置１１ｂのブラウザの表示画面例を図８に示す（Ｓ１６０）。
【００４３】
操作者Ｍ２は、端末装置１１ｂのブラウザに表示された「公開モード運用」での「ＴＶ電話モード選択」ボタンを押下する（図８参照）。操作者Ｍ２が「ＴＶ電話モード選択」ボタンを押下することで、端末装置１１ｂはテレビ電話モードとするための限定送信要求をネットワークカメラ１０ａへ送信する（Ｓ１７０）。
【００４４】
限定送信要求をネットワーク通信手段２６を介して受信した認証要求手段２２は、この限定送信要求に応答して第２の認証情報であるＩＤと限定パスワードとを端末装置１１ｂへ要求する（Ｓ１８０）。このときの端末装置１１ｂのブラウザの表示画面例を図９に示す（Ｓ１９０）。
【００４５】
操作者Ｍ２は、「ユーザ名」にＩＤを入力し、「パスワード」に限定パスワードを入力して、「ＯＫ」ボタンを押下する。この操作により、端末装置１１ｂは、ネットワークカメラ１０ａへＩＤと限定パスワードを送信する（Ｓ２００）。
【００４６】
ＩＤと限定パスワードを受信した映像データ送信手段２３は、このＩＤと限定パスワードとが、認証要求手段２２が一時的に生成したパスワードと一致しているか否かを判定する（Ｓ２１０）。
【００４７】
Ｓ２１０にて、映像データ送信手段２３は、受信したＩＤと限定パスワードが認証要求手段２２が生成した第２の認証情報と一致していれば、カメラ２０の映像データを、端末装置１１ｂへ送信する（Ｓ２２０）。
【００４８】
端末装置１１ｂでは、ネットワークカメラ１０ａから送信された映像データが図１０で示されるように表示され、テレビ電話モードとなる（Ｓ２３０）。
【００４９】
そのときに、例えば、操作者Ｍ３が端末装置１１ｃを操作してネットワークカメラ１０ａへアクセスすると、端末装置１１ｃでは図１１で示す画面となり、カメラ２０の映像データは表示されない。従って、操作者Ｍ２が操作して限定パスワードで認証を受けた端末装置１１ｂのみが映像データを表示させることができる。
【００５０】
もし、操作者Ｍ２がカメラ２０のレンズの向きを変更したければ、図１０に示す映像データを表示している画面の左側に位置する十字矢印表示をマウスまたはカーソルキーで操作して変更することも可能である。この場合には、端末装置１１ｂから操作したときに送信される変更要求をネットワークカメラ１０ａのカメラ制御手段２４がネットワーク通信手段２６を介して受信し、カメラ２０のレンズの方向を制御する。
【００５１】
このようにして、ネットワークカメラ１０から遠く離れた地点から端末装置１１を操作して、他の端末装置１１にネットワークカメラ１０の映像を閲覧されることなく、占有して閲覧することができる。
【００５２】
次に、ネットワークカメラ１０ａと、ネットワークカメラ１０ｂとを用いてテレビ電話として使用する場合の動作を図４および図５に基づいて説明する。
【００５３】
Ａ地点にいる操作者Ｍ１と、Ｂ地点にいる操作者Ｍ２とが、ネットワークカメラ１０ａの映像データを端末装置１１ｂへ、ネットワークカメラ１０ｂの映像データを端末装置１１ａへ、送信し合うことで、テレビ電話としている。このときの音声は、図示しない公衆回線網を通じてＡ地点およびＢ地点に設置された電話装置で操作者Ｍ１と操作者Ｍ２が通話するようにしてもよいし、Ａ地点およびＢ地点に設置され、ネットワーク２に接続されるＩＰ電話装置で通話するようにしてもよい。
【００５４】
なお、操作者Ｍ１，Ｍ２は予めネットワークカメラ１０ａの認証リストにＩＤと公開パスワードを登録されているものとする。また操作者Ｍ１が操作する端末装置１１ａは、既にネットワークカメラ１０ａの「公開モード」での認証は完了しているものとする。
【００５５】
また、端末装置１１ａが限定送信要求を送信するところから、ネットワークカメラ１０ａに認証を得るまでは、図３に示すＳ１７０からＳ２１０まで、端末装置１１ｂが端末装置１１ａとなった以外は同じなので、説明は省略する。
【００５６】
Ｓ２１０にて、認証リストに登録されていると判定されれば、相手先一覧を認証メール送信手段２５が送信する。この相手先一覧は、予めテレビ電話をする相手の電子メールアドレスを認証メール送信手段２５に登録しておいたものである（Ｓ２４０）。この相手先一覧を受信した端末装置１１ａは、図１２に示す画面を表示する（Ｓ２５０）。
【００５７】
操作者Ｍ１は、テレビ電話をする相手をこの相手先一覧から選択し、ネットワークカメラ１０ａへ送信する（Ｓ２６０）。この場合、相手として操作者Ｍ２を選択したとする。
【００５８】
端末装置１１ａから相手として操作者Ｍ２が選択された情報がネットワークカメラ１０ａへ送信されると、ネットワークカメラ１０ａは端末装置１１ｂが認証を得るための第３の認証情報であるＩＤと相手限定パスワードとネットワークカメラ１０ａのＵＲＬを電子メールで端末装置１１ｂへ送信する（Ｓ２７０）。
【００５９】
そしてネットワークカメラ１０ａの映像データ送信手段２３は、カメラ２０の映像データを端末装置１１ａへ送信する（Ｓ２８０）。映像データを受信した端末装置１１ａは、図１０に示すように画面に映像データを表示する（Ｓ２９０）。
【００６０】
端末装置１１ｂは、ネットワークカメラ１０ａから電子メールを受信する（Ｓ３００）。
【００６１】
図５に示すように、電子メールを受信した端末装置１１ｂを操作する操作者Ｍ２は、電子メールに記載されているネットワークカメラ１０ａのＵＲＬに基づいて、端末装置１１ｂのブラウザからネットワークカメラ１０ａへアクセスして、テレビ電話とするための限定送信要求を送信する（Ｓ３１０）。
【００６２】
ネットワークカメラ１０ａの認証要求手段２２は、限定送信要求に応じて第３の認証情報であるＩＤと相手限定パスワードを要求する（Ｓ３２０）。
【００６３】
端末装置１１ｂは、要求されたＩＤと相手限定パスワードの画面を図９に示すように表示する（Ｓ３３０）。操作者Ｍ２は、電子メールに記載されたＩＤと相手限定パスワードを入力して送信操作をすることで、端末装置１１ｂはＩＤと相手限定パスワードをネットワークカメラ１０ａへ送信する（Ｓ３４０）。
【００６４】
ネットワークカメラ１０ａの映像データ送信手段２３は、受信したＩＤと相手限定パスワードが認証要求手段２２が一時的に生成した第３の認証情報と一致しているか否かを判定する（Ｓ３５０）。そしてネットワークカメラ１０ａは、認証情報と一致していれば、端末装置１１ａへ送信しているカメラ２０の映像データを端末装置１１ｂへも送信する（Ｓ３６０）。
【００６５】
端末装置１１ｂは、受信した映像データを図１３に示すように画面に表示する（Ｓ３７０）。これで、ネットワークカメラ１０ａの映像データが端末装置１１ａ，１１ｂに表示されることになる。
【００６６】
このときに、端末装置１１ｃのブラウザからネットワークカメラ１０ａへアクセスされた場合、図３で説明したときと同様に、図１１に示すようにカメラ２０の映像データは表示されない。
【００６７】
テレビ電話とするためにはお互いの映像が見えるようにする必要があるので、今度は操作者Ｍ２が、ネットワークカメラ１０ｂへアクセスしてテレビ電話モードとなる認証を得た後に、端末装置１１ａを選択して、端末装置１１ｂがテレビ電話モードの認証を得れば、ネットワークカメラ１０ｂの映像を端末装置１１ａ，１１ｂで閲覧することができる。
【００６８】
このようにして、操作者Ｍ１は操作者Ｍ２の映像を、操作者Ｍ２は操作者Ｍ１の映像を見ることができ、会話は電話装置を通じて行うことで、テレビ電話とすることができる。
【００６９】
ここで、操作者Ｍ１がカメラ２０のレンズの向きを変更したければ、図１０に示す映像データを表示している画面の左側に位置する十字矢印表示をマウスまたはカーソルキーで操作して変更することも可能である。しかし、操作者Ｍ２がカメラ２０のレンズの向きを変更したくとも、図１３に示す画面にはカメラ２０のレンズを制御する十字矢印表示が表示されていないため、操作ができない。これはネットワークカメラ１０ａは、操作者Ｍ１がいる地点Ａに設置されているため、操作者Ｍ２に見せたくない方向もある。従って、最初にネットワークカメラ１０ａへ認証を受けた操作者Ｍ１の端末装置１１ａの画面のみにカメラ２０のレンズの方向を制御する表示をネットワークカメラ１０ａは行っている。
【００７０】
このようにして、通常は登録された操作者のみに公開しているネットワークカメラ１０でも、特に相手を限定することができる。例えば、通常は自宅のペットの様子を広く公開しているが、このネットワークカメラ１０を利用して利用者を登録しておくことで、テレビ電話として使用できるので有用である。
【００７１】
なお、本実施の形態では、通信装置としてカメラを備えたネットワークカメラとしたが、カメラは別筐体としてもよい。
【産業上の利用可能性】
【００７２】
本発明は、認証リストに登録された操作者の登録を抹消することなく、カメラの映像データの送信先を、更に限定して送信することができるので、カメラの映像データを認証リストに登録された操作者のみがネットワークを介して閲覧することができる通信装置およびネットワークカメラに好適である。
【図面の簡単な説明】
【００７３】
【図１】本発明の実施の形態に係る通信装置を用いたネットワークカメラシステムの構成を説明する図
【図２】本発明の実施の形態に係る通信装置の構成を説明する図
【図３】本発明の実施の形態に係る通信装置の一例であるネットワークカメラの動作を説明するシーケンスチャート
【図４】本発明の実施の形態に係る通信装置の一例であるネットワークカメラの動作を説明するシーケンスチャート
【図５】本発明の実施の形態に係る通信装置の一例であるネットワークカメラの動作を説明するシーケンスチャート
【図６】通信装置としての一例であるネットワークカメラから送信され、端末装置の画面に表示される表示例を示す図
【図７】通信装置としての一例であるネットワークカメラから送信され、端末装置の画面に表示される表示例を示す図
【図８】通信装置としての一例であるネットワークカメラから送信され、端末装置の画面に表示される表示例を示す図
【図９】通信装置としての一例であるネットワークカメラから送信され、端末装置の画面に表示される表示例を示す図
【図１０】通信装置としての一例であるネットワークカメラから送信され、端末装置の画面に表示される表示例を示す図
【図１１】通信装置としての一例であるネットワークカメラから送信され、端末装置の画面に表示される表示例を示す図
【図１２】通信装置としての一例であるネットワークカメラから送信され、端末装置の画面に表示される表示例を示す図
【図１３】通信装置としての一例であるネットワークカメラから送信され、端末装置の画面に表示される表示例を示す図
【符号の説明】
【００７４】
１    ネットワークカメラシステム
２    インターネット
１０，１０ａ，１０ｂ    ネットワークカメラ
１１，１１ａ，１１ｂ，１１ｃ    端末装置
１２，１３，１４    ルータ
２０    カメラ
２１    記憶手段
２２    認証要求手段
２３    映像データ送信手段
２４    カメラ制御手段
２５    認証メール送信手段
２６    ネットワーク通信手段
Ｍ１，Ｍ２，Ｍ３    操作者
【図１】
2006148737.tif 000003
【図２】
2006148737.tif 000004
【図３】
2006148737.tif 000005
【図４】
2006148737.tif 000006
【図５】
2006148737.tif 000007
【図６】
2006148737.tif 000008
【図７】
2006148737.tif 000009
【図８】
2006148737.tif 000010
【図９】
2006148737.tif 000011
【図１０】
2006148737.tif 000012
【図１１】
2006148737.tif 000013
【図１２】
2006148737.tif 000014
【図１３】
2006148737.tif 000015